(57)【要約】【課題】クラブハウス内においてゴルフコースデータなどを提供でき、各ゴルフプレーヤのプレー位置からピンへの正確なアプローチ情報をリアルタイムで提供可能なゴルフ場管理システムを提案すること。【解決手段】ゴルフ場管理システム１は、ゴルフ場管理装置２と、データベース３〜６と、ゴルフカート７に搭載されたデータ表示装置７１と、携帯用無線通信端末８を有している。ゴルフ場管理装置２は管理端末２１とデータ表示端末２２を備え、データ表示端末２２の表示器３１には、キー操作に応じて各種のゴルフコースデータを表示可能である。管理端末２１は、通信端末８からデータ要求があると、当該通信端末８の位置をＧＰＳシステム９からの情報に基づき検出し、当該端末を所持しているプレーヤの位置から当該ゴルフコースのピンへのアプローチ情報を通信端末８に送信する。プレーヤは通信端末８から正確なアプローチ情報をリアルタイムで入手できる。【選択図】　　　図１
2004113535.tif 000002
【特許請求の範囲】
【請求項１】
ゴルフ会員の個人データが登録されている会員データベースと、
各ゴルフ会員のプレー履歴が登録されている会員プレー履歴データベースと、
ゴルフコース情報が登録されているゴルフコースデータベースと、
前記の各データベースを管理するゴルフ場管理装置とを有し、
このゴルフ場管理装置は、
前記の各データベースを管理する管理部と、この管理部の制御の下に、前記の各データベースの登録内容を直接あるいは編集・加工して表示可能なデータ表示部と、このデータ表示部によって表示されるデータを指定するための操作部とを備えていることを特徴とするゴルフ場管理システム。
【請求項２】
請求項１において、
前記会員データベースには、各会員毎に、住所および氏名を含む会員個人データと、会員番号と、認証用に予め付与された会員ＩＤ番号が登録されており、
前記会員プレー履歴データには、各会員の過去のプレー日時と、各プレーにおける各ホール毎のスコアおよび合計スコアとが登録されており、
前記ゴルフコースデータベースには、少なくとも次のデータが登録されていることを特徴とするゴルフ場管理システム。
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【請求項３】
請求項２において、
前記ゴルフ場管理装置の管理部は、前記操作部からの指示入力に応じて、前記（ａ）〜（ｆ）の全てを含む表示画像、あるいは、前記コース全体図の上に前記の（ａ）〜（ｆ）のいずれか一つを異なる形態で表示する表示画像を、前記データ表示部に表示可能であることを特徴とするゴルフ場管理システム。
【請求項４】
請求項２または３において、
前記ゴルフ場管理装置の管理部は、前記操作部から前記会員認証番号が入力されると、該当する会員のプレー履歴を前記データ表示部に表示することを特徴とするゴルフ場管理システム。
【請求項５】
請求項４において、
前記データ表示部に表示される会員のプレー履歴として、前記操作部からの指示入力によって、過去の所定期間の各プレー毎のスコア、過去のスコアの平均値、前回のプレーのスコア、当日のスコア、当日の前半のスコアのいずれかを選択可能であることを特徴とするゴルフ場管理システム。
【請求項６】
請求項１ないし５のうちのいずれかの項において、
前記ゴルフ場管理装置は、ＶＩＣＳセンタなどから道路交通情報を入手可能な道路情報受信部および／または気象情報を入手可能な気象情報受信部を備えており、
前記管理部は、前記操作部から表示要求があると、前記道路情報および／または気象情報を前記データ表示部に表示することを特徴とするゴルフ場管理システム。
【請求項７】
請求項１ないし６のうちのいずれかの項において、
前記ゴルフ場管理装置は、当日の各ホールでのプレー状況および／または当日以降のプレー予約状況を記憶保持している記憶部を備えており、
前記管理部は、前記操作部からの表示要求があると、前記の各ホールでのプレー状況および／またはプレー予約状況を前記データ表示部に表示することを特徴とするゴルフ場管理システム。
【請求項８】
請求項７において、
前記ゴルフ場管理装置は、前記操作部を介してプレー予約を受け付ける予約受付部を備えていることを特徴とするゴルフ場管理システム。
【請求項９】
請求項１ないし８のうちのいずれかの項において、
ゴルフプレーヤに所持させるための携帯用無線通信端末を有し、
前記ゴルフ場管理装置は、前記携帯用無線通信端末との間で無線通信を行う通信部を備えており、
前記管理部は、前記携帯用無線通信端末からのデータ要求に応じて、前記データ表示部に表示可能なデータを前記通信部を介して前記携帯用無線通信端末に送信することを特徴とするゴルフ場管理システム。
【請求項１０】
請求項９において、
前記携帯用無線通信端末を介して各ホールでのスコアを前記ゴルフ場管理装置に送信可能であることを特徴とするゴルフ場管理システム。
【請求項１１】
請求項９または１０において、
前記携帯用無線通信端末を介して当日以降のプレー予約要求を前記ゴルフ場管理装置に送信可能であることを特徴とするゴルフ場管理システム。
【請求項１２】
請求項９、１０または１１において、
前記携帯用無線通信端末の位置を検出する位置検出手段を有しており、
前記ゴルフ場管理装置の前記管理部は、データ要求のあった前記携帯用無線通信端末の位置から当該無線通信端末が位置しているコースのピンまでの距離および／または方向を算出して、前記携帯用無線通信端末に送信可能であることを特徴とするゴルフ場管理システム。
【請求項１３】
請求項１２において、
前記ゴルフ場管理装置の前記管理部は、データ要求のあった前記携帯用無線通信端末の位置からピンまでの方向と、バンカーおよび／または池までの方向とのなす角度を算出して、前記携帯用無線通信端末に送信可能であることを特徴とするゴルフ場管理システム。
【請求項１４】
請求項１２または１３において、
前記ゴルフ場管理装置の前記管理部は、データ要求のあった前記携帯用無線通信端末がグリーン上に位置している場合には、当該位置からピンまでがフックラインおよびスライスラインのいずれであるかなどを含むアプローチ方法に関するデータを生成して、前記携帯用無線通信端末に送信可能であることを特徴とするゴルフ場管理システム。
【請求項１５】
請求項１２、１３または１４において、
前記位置検出手段は、ＧＰＳシステムを利用して前記携帯用無線通信端末の位置を検出するものであることを特徴とするゴルフ場管理システム。
【請求項１６】
請求項１ないし１５のうちのいずれかの項において、
ゴルフカートを有しており、
このゴルフカートは、前記ゴルフ場管理装置との間で無線通信を行う通信部と、データを表示するためのデータ表示装置と、前記通信部を介して前記ゴルフ場管理装置に対してデータ要求を行うための操作部とを備えており、
前記ゴルフ場管理装置の前記管理部は、前記ゴルフカートからのデータ要求があると、前記データ表示部に表示可能なデータを、前記通信部を介して前記ゴルフカートに送信して前記データ表示装置に表示することを特徴とするゴルフ場管理システム。
【請求項１７】
請求項１６において、
前記ゴルフカートの前記操作部を介して各ホールでのスコアを前記ゴルフ場管理装置に送信可能であることを特徴とするゴルフ場管理システム。
【請求項１８】
請求項１６または１７において、
前記ゴルフカートの前記操作部を介して当日以降のプレー予約要求を前記ゴルフ場管理装置に送信可能であることを特徴とするゴルフ場管理システム。
【請求項１９】
請求項１ないし８のうちのいずれかの項において、
ゴルフカートと、ゴルフプレーヤに所持させるための携帯用無線通信端末とを有し、
前記ゴルフカートは、前記ゴルフ場管理装置との間で無線通信を行う通信部と、この通信部を介して受信したデータを表示するためのデータ表示装置と、前記通信部を介して前記ゴルフ場管理装置に対してデータ要求を行うための操作部とを備えており、
前記ゴルフ場管理装置の前記管理部は、前記ゴルフカートからのデータ要求があると、前記データ表示部に表示可能なデータを、前記通信部を介して前記ゴルフカートに送信するようになっており、
前記携帯用無線通信端末は、予め対応付けされた前記ゴルフカートの前記通信部との間で無線通信が可能であり、当該通信部を介して前記ゴルフ管理装置に対してデータ要求を行うことを特徴とするゴルフ場管理システム。
【請求項２０】
請求項１９において、
前記携帯用無線通信端末から前記ゴルフカートの前記通信部を経由して各ホールでのスコアを前記ゴルフ場管理装置に送信可能であることを特徴とするゴルフ場管理システム。
【請求項２１】
請求項１９または２０において、
前記携帯用無線通信端末から当日以降のプレー予約要求を前記ゴルフカートの前記通信部を経由して前記ゴルフ場管理装置に送信可能であることを特徴とするゴルフ場管理システム。
【請求項２２】
請求項１９、２０または２１において、
前記携帯用無線通信端末の位置を検出する位置検出手段を有しており、
前記ゴルフ場管理装置の前記管理部は、前記ゴルフカートの前記通信部を経由してデータ要求のあった前記携帯用無線通信端末の位置から当該無線通信端末が位置しているコースのピンまでの距離および／または方向を算出して、前記携帯用無線通信端末に送信可能であることを特徴とするゴルフ場管理システム。
【請求項２３】
請求項２２において、
前記ゴルフ場管理装置の前記管理部は、前記ゴルフカートの前記通信部を経由してデータ要求のあった前記携帯用無線通信端末の位置からピンまでの方向と、バンカーおよび／または池までの方向とのなす角度を算出して、前記携帯用無線通信端末に送信可能であることを特徴とするゴルフ場管理システム。
【請求項２４】
請求項２２または２３において、
前記ゴルフ場管理装置の前記管理部は、前記ゴルフカートの前記通信部を経由してデータ要求のあった前記携帯用無線通信端末がグリーン上に位置している場合には、当該位置からピンまでがフックラインおよびスライスラインのいずれであるかなどを含むアプローチ方法に関するデータを生成して、前記携帯用無線通信端末に送信可能であることを特徴とするゴルフ場管理システム。
【請求項２５】
請求項２２、２３または２４において、
前記位置検出手段は、ＧＰＳシステムを利用して前記携帯用無線通信端末の位置を検出するものであることを特徴とするゴルフ場管理システム。
【発明の詳細な説明】
【０００１】
【発明の属する技術分野】
本発明は、ゴルフ場においてゴルフコース情報や過去のスコアなどの各種の情報を閲覧可能なゴルフ場管理システムに関するものである。
【０００２】
【従来の技術】
ゴルフのプレーヤは、ゴルフ場においてスコアカードなどの裏面に記載されているゴルフコース情報に基づき各ホールのコース状況などを知ることができる。また、プレー中においてはキャディからアプローチの方向やピンまでの距離、池やバンカーの位置、あるいはＯＢ位置などを聞くことができる。ここで、このような情報を必要に応じて表示画面上に表示できれば便利である。例えば、ゴルフカートに表示装置を搭載し、その表示画面上にコース地形、ピン位置やバンカー位置などの情報を表示すれば、プレーヤがプレー中に確認できるので便利である。
【０００３】
このような情報を表示可能な機能を備えたゴルフカートは、例えば次のような特許文献に開示されている。
【０００４】
【特許文献】
特開平６−２８５１９８号公報
【０００５】
【発明が解決しようとする課題】
プレーヤはゴルフコース情報のみでなく、例えば、過去の自分のスコアなどの各種の情報を知りたい場合がある。また、プレーの予約も端末などにおいて簡単に手続きができれば便利である。しかしながら、従来においてはゴルフ場における各種の情報を提供可能なシステムや予約などを簡単に行うことのできる端末システムについては何ら提案されていない。
【０００６】
また、ゴルフカートを利用してゴルフコースに関する情報を各プレーヤに伝える方法では次のような問題点がある。まず、ゴルフカートの位置に基づきプレーヤがいずれのホールでプレーしているのかは判断できるが、ゴルフカートと各プレーヤの位置とは離れている場合が殆どである。このため、各プレーヤの位置を正確に検出できないので、各プレーヤからピン位置までの距離を個別に各プレーヤに知らせることができない。また、各プレーヤからピン位置までの方向や、その方向の上空における風向きなどのアプローチ情報も各プレーヤに提供することができない。さらに、ゴルフカートの走行路は、グリーンから外れた位置に沿って形成されているので、各プレーヤがプレー毎にゴルフカートまで行き、そこに搭載されている情報受信装置の画面を確認することは面倒であり、また、リアルタイムで各プレーヤのアプローチ情報を提供することができない。
【０００７】
本発明の課題は、このような点に鑑みて、クラブハウスなどにおいてプレーヤがゴルフ場における各種のデータを閲覧可能なゴルフ場管理システムを提案することにある。
【０００８】
また、本発明の課題は、無線通信端末を利用して、ゴルフコース上においてプレーヤの実際の位置からピンまでのアプローチ情報をリアルタイムで各プレーヤに提供可能なゴルフ場管理システムを提案することにある。
【０００９】
【課題を解決するための手段】
上記の課題を解決するために、本発明のゴルフ場管理システムは、
ゴルフ会員の個人データが登録されている会員データベースと、
各ゴルフ会員のプレー履歴が登録されている会員プレー履歴データベースと、
ゴルフコース情報が登録されているゴルフコースデータベースと、
前記の各データベースを管理するゴルフ場管理装置とを有し、
このゴルフ場管理装置は、
前記の各データベースを管理する管理部と、この管理部の制御の下に、前記の各データベースの登録内容を直接あるいは編集・加工して表示可能なデータ表示部と、このデータ表示部によって表示されるデータを指定するための操作部とを備えていることを特徴としている。
【００１０】
ここで、前記会員データベースは、各会員毎に、住所および氏名を含む会員個人データと、会員番号と、認証用に予め付与された会員ＩＤ番号が登録されたものとすることができる。
【００１１】
前記会員プレー履歴データは、各会員の過去のプレー日時と、各プレーにおける各ホール毎のスコアおよび合計スコアとが登録されたものとすることができる。
【００１２】
前記ゴルフコースデータベースは、少なくとも次のデータが登録されたものとすることができる。
【００１３】
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【００１４】
また、前記ゴルフ場管理装置の管理部は、前記操作部からの指示入力に応じて、前記（ａ）〜（ｆ）の全てを含む表示画像、あるいは、前記コース全体図の上に前記の（ａ）〜（ｆ）のいずれか一つを異なる形態で表示する表示画像を、前記データ表示部に表示可能であることが望ましい。
【００１５】
さらに、前記ゴルフ場管理装置の管理部は、前記操作部から前記会員認証番号が入力されると、該当する会員のプレー履歴を前記データ表示部に表示可能であることが望ましい。
【００１６】
この場合、前記データ表示部に表示される会員のプレー履歴として、前記操作部からの指示入力によって、過去の所定期間の各プレー毎のスコア、過去のスコアの平均値、前回のプレーのスコア、当日のスコア、当日の前半のスコアのいずれかを選択可能であることが望ましい。
【００１７】
次に、前記ゴルフ場管理装置は、ＶＩＣＳセンタなどから道路交通情報を入手可能な道路情報受信部および／または気象情報を入手可能な気象情報受信部を備え、前記管理部は、前記操作部から表示要求があると、前記道路情報および／または気象情報を前記データ表示部に表示するように構成することができる。
【００１８】
また、前記ゴルフ場管理装置は、当日の各ホールでのプレー状況および／または当日以降のプレー予約状況を記憶保持している記憶部を備え、前記管理部は、前記操作部からの表示要求があると、前記の各ホールでのプレー状況および／またはプレー予約状況を前記データ表示部に表示できるように構成することが望ましい。
【００１９】
この場合、前記ゴルフ場管理装置は、前記操作部を介してプレー予約を受け付ける予約受付部を備えていることが望ましい。
【００２０】
一方、ゴルフプレーヤに所持させるための携帯用無線通信端末を有した構成を採用することができ、この場合、前記ゴルフ場管理装置は、前記携帯用無線通信端末との間で無線通信を行う通信部を備えており、前記管理部は、前記携帯用無線通信端末からのデータ要求に応じて、前記データ表示部に表示可能なデータを前記通信部を介して前記携帯用無線通信端末に送信する構成とすることができる。
【００２１】
この構成においては、前記携帯用無線通信端末を介して各ホールでのスコアを前記ゴルフ場管理装置に送信可能であることが望ましい。
【００２２】
また、前記携帯用無線通信端末を介して当日以降のプレー予約要求を前記ゴルフ場管理装置に送信可能であることが望ましい。
【００２３】
さらに、前記携帯用無線通信端末の位置を検出する位置検出手段を有した構成を採用することができ、この場合には、前記ゴルフ場管理装置の前記管理部は、データ要求のあった前記携帯用無線通信端末の位置から当該無線通信端末が位置しているコースのピンまでの距離および／または方向を算出して、前記携帯用無線通信端末に送信可能とすることができる。
【００２４】
また、この場合、前記ゴルフ場管理装置の前記管理部は、データ要求のあった前記携帯用無線通信端末の位置からピンまでの方向と、バンカーおよび／または池までの方向とのなす角度を算出して、前記携帯用無線通信端末に送信可能であることが望ましい。
【００２５】
さらに、前記ゴルフ場管理装置の前記管理部は、データ要求のあった前記携帯用無線通信端末がグリーン上に位置している場合には、当該位置からピンまでがフックラインおよびスライスラインのいずれであるかなどを含むアプローチ方法に関するデータを生成して、前記携帯用無線通信端末に送信可能であることが望ましい。
【００２６】
さらにまた、前記位置検出手段として、ＧＰＳシステムを利用して前記携帯用無線通信端末の位置を検出する構成を採用できる。
【００２７】
次に、本発明のゴルフ場管理システムは、上記構成に加えて、ゴルフカートを有した構成とすることができる。この場合、このゴルフカートは、前記ゴルフ場管理装置との間で無線通信を行う通信部と、データを表示するためのデータ表示装置と、前記通信部を介して前記ゴルフ場管理装置に対してデータ要求を行うための操作部とを備え、前記ゴルフ場管理装置の前記管理部は、前記ゴルフカートからのデータ要求があると、前記データ表示部に表示可能なデータを、前記通信部を介して前記ゴルフカートに送信して前記データ表示装置に表示する構成とすることができる。
【００２８】
また、前記ゴルフカートの前記操作部を介して各ホールでのスコアを前記ゴルフ場管理装置に送信可能であることが望ましい。
【００２９】
さらに、前記ゴルフカートの前記操作部を介して当日以降のプレー予約要求を前記ゴルフ場管理装置に送信可能であることが望ましい。
【００３０】
次に、本発明のゴルフ場管理システムでは、ゴルフカートと、ゴルフプレーヤに所持させるための携帯用無線通信端末とを有し、前記ゴルフカートは、前記ゴルフ場管理装置との間で無線通信を行う通信部と、この通信部を介して受信したデータを表示するためのデータ表示装置と、前記通信部を介して前記ゴルフ場管理装置に対してデータ要求を行うための操作部とを備えており、前記ゴルフ場管理装置の前記管理部は、前記ゴルフカートからのデータ要求があると、前記データ表示部に表示可能なデータを、前記通信部を介して前記ゴルフカートに送信するようになっており、前記携帯用無線通信端末は、予め対応付けされた前記ゴルフカートの前記通信部との間で無線通信が可能であり、当該通信部を介して前記ゴルフ場管理装置に対してデータ要求を行う構成とすることができる。
【００３１】
この場合、前記携帯用無線通信端末から前記ゴルフカートの前記通信部を経由して各ホールでのスコアを前記ゴルフ場管理装置に送信可能にできる。
【００３２】
また、前記携帯用無線通信端末から当日以降のプレー予約要求を前記ゴルフカートの前記通信部を経由して前記ゴルフ場管理装置に送信可能にできる。
【００３３】
さらに、前記携帯用無線通信端末の位置を検出する位置検出手段を有している場合には、前記ゴルフ場管理装置の前記管理部は、前記ゴルフカートの前記通信部を経由してデータ要求のあった前記携帯用無線通信端末の位置から当該無線通信端末が位置しているコースのピンまでの距離および／または方向を算出して、前記携帯用無線通信端末に送信可能にできる。
【００３４】
また、前記ゴルフ場管理装置の前記管理部は、前記ゴルフカートの前記通信部を経由してデータ要求のあった前記携帯用無線通信端末の位置からピンまでの方向と、バンカーおよび／または池までの方向とのなす角度を算出して、前記携帯用無線通信端末に送信可能にできる。
【００３５】
さらに、前記ゴルフ場管理装置の前記管理部は、前記ゴルフカートの前記通信部を経由してデータ要求のあった前記携帯用無線通信端末がグリーン上に位置している場合には、当該位置からピンまでがフックラインおよびスライスラインのいずれであるかなどを含むアプローチ方法に関するデータを生成して、前記携帯用無線通信端末に送信可能にすることができる。
【００３６】
以下に、図面を参照して本発明を適用したゴルフ場管理システムの実施例を説明する。
【００３７】
（全体構成）
図１は、本例のゴルフコースデータ提供システムを示す全体構成図である。本例のゴルフコースデータ提供システム１は、ゴルフ場のクラブハウスなどの管理施設に配置されたゴルフ場管理装置２と、このゴルフ場管理装置２によって管理されている会員の個人データが登録されている会員データベース３と、各ゴルフ会員のプレー履歴が登録されている会員プレー履歴データベース４と、ゴルフコース情報が登録されているゴルフコースデータベース５と、予約データが登録されている予約データベース６を有している。また、各組のプレーヤに割り当てられるゴルフカート７と、各ゴルフカート７に割り当てられている複数、例えば４つの携帯用無線通信端末８（８（１）〜８（４））とを有している。
【００３８】
ゴルフ場管理装置２は、各データベース３〜６を管理する管理端末２１と、この管理端末２１の制御の下に、各データベース３〜６の登録内容を直接あるいは編集・加工して表示可能なデータ表示端末２２とを備えている。管理端末２１は、各ゴルフカート７との間で無線通信を行うための通信部２３と、ゴルフカート７あるいはデータ表示端末２２からのデータ要求に応じて、各データベース３〜６の登録内容に基づき、提供すべきデータを生成する表示データ生成部２４と、キーボートなどの入力部２５と、表示部、プリンタなどの出力部２６と、各データベースの編集および更新を行う編集・更新部２７と、予約受付処理部２８とを備えている。データ表示端末２２は、例えば、クラブハウスの休憩室などに設置されており、表示器３１と操作部３２を備えている。
【００３９】
一方、各ゴルフカート７は、ゴルフ場に設置した誘導路に沿って走行可能な一般的に使用されているものと同一であるが、その運転席には、データ表示装置７１が搭載されており、このデータ表示装置７１は、表示器７２と、操作部７３と、ゴルフ場管理装置２の通信部２３との間、および各携帯用無線通信端末８との間で無線通信を行うための通信部７４とを備えている。また、通信可能な各携帯用無線通信端末８の機体識別番号が記憶保持されたメモリ７５も備わっている。
【００４０】
各携帯用無線通信端末８はゴルフ場において各プレーヤに貸し出されるものであり、表示部８１とテンキー、ファンクションキーなどが配列された操作部８２とを備え、所定の周波数帯域でゴルフカート７と無線通信を行うものである。各携帯用無線通信端末８は、ゴルフカート７の通信部７４を経由して、ゴルフ場管理装置２に対してデータ要求を行うことが可能となっている。
【００４１】
ここで、本例のゴルフ場管理システム１のゴルフ場管理装置２においては、その通信部２３を介して、ＧＰＳシステム９から衛星航法情報を受信可能である。また、この受信情報に基づき、データ要求のあった携帯用通信端末８の位置を検出する位置検出部２９も備わっている。さらに、通信部２３を介して道路交通情報を例えばＶＩＣＳセンタ１０から受信して表示可能となっている。さらにまた、当該通信部２３によって気象情報を外部の提供機関１１から受信して表示可能となっている。
【００４２】
次に、ゴルフ場管理装置２の側の会員データベース３には、各会員毎に、住所および氏名を含む会員個人データと、会員番号と、認証用に予め付与された会員ＩＤ番号が登録されている。会員プレー履歴データベース４には、各会員の過去のプレー日時と、各プレーにおける各ホール毎のスコアおよび合計スコアとが登録されている。ゴルフコースデータベース５には、少なくとも次のデータが登録されている。
【００４３】
（ａ）各ホールのコース全体図
（ｂ）各ホールのバンカー位置
（ｃ）各ホールのピン穴位置
（ｄ）各ホールの池位置
（ｅ）各ホールのＯＢ位置
（ｆ）各ホールの風向き
【００４４】
（データ表示端末のデータ表示動作）
図２を参照して、クラブハウスの休憩室などに設置されているデータ表示端末２２によるデータ表示について説明する。データ表示端末２２の操作部３２にはコースデータ表示選択キー３３が配列されており、この表示選択キー３３を１回操作すると、ゴルフ場の全体のレイアウト画像が表示される。この状態で表示選択キー３３を操作する毎に、表示画面は、上記の（ａ）〜（ｆ）を表す表示画面に順次に切り替わり、しかる後に、再びゴルフ場の全体のレイアウト画像に戻る（ステップＳＴ２、３）。このようなサイクリックな切り替え表示の代わりに複数の表示選択キーを配置して画面切り替えを行うようにしてもよい。
【００４５】
例えば、図３（ａ）には上記（ａ）の表示画面の例を示してある。この表示画面４０においては、ティーアップ位置５１、グリーン位置５２を含むコースの全体図４１と、バンカー位置４２と、ピン穴位置４３と、ＯＢラインのある場合にはそのライン４４と、池がある場合にはその位置４５と、風向きを示す矢印４６とが表示される。表示選択キー３３を操作して表示画面を上記（ｂ）の表示画面に切り換えると、バンカー位置４２が他の部分とは異なった表示形態、例えば点滅状態に表示された画面になる。同様に、上記の（ｃ）の表示画面ではピン穴位置４３が点滅表示され、上記の（ｄ）の表示画面ではＯＢライン４４が点滅表示され、上記の（ｅ）の表示画面では池位置４５が点滅表示され、上記の（ｆ）の表示画面では風向きを示す矢印４６が点滅表示される。
【００４６】
また、データ表示端末２２の操作部３２には、プレー履歴表示キー３４が配列されており、このキー３４を操作すると表示モードが会員のプレー履歴表示モードに切り替わる（ステップＳＴ２、４）。このプレー履歴表示モードにおいて、画面上には会員番号の入力要求が表示される。会員が会員認証番号を操作部３２に配列されているテンキーにより入力すると、入力された会員認証番号が管理端末２１に供給される。管理端末２１の表示データ生成部２４では、会員データベース３を検索して会員の照合を行い、照合がとれた場合には、会員プレー履歴データベース４から該当する会員のプレー履歴データを取り出して、データ表示端末２２に転送する。データ表示端末２２では、受け取ったプレー履歴データを表示器３１の表示画面上に表示する。表示される会員のプレー履歴としては、例えば、過去１年間の各プレー毎のスコア、過去１年間のスコアの平均値、前回のプレーのスコアがある。また、当日のスコアあるいは当日の前半のスコアが既に登録されている場合には、これらのデータも表示される。勿論、操作部３２に選択キーを配列しておき、これらのプレー履歴データを選択表示できるようにすることも可能である。
【００４７】
さらに、本例のデータ表示端末２２の操作部３２には、道路交通情報表示キー３５および気象情報表示キー３６が配列されている。これらのキー３５、３６を操作すると、道路交通情報あるいは気象情報を要求する信号が管理端末２１に送られ、その表示データ生成部２４では、通信部２３で受信したＶＩＣＳセンタ１０からの道路交通情報や外部機関から提供される気象情報を、そのまま、あるいは、所定の表示形態に加工してデータ表示端末２２に送る。データ表示端末２２の表示器３１の表示画面には供給された道路交通情報や気象情報が表示される（ステップＳＴ２、５、６）。
【００４８】
さらにまた、本例のデータ表示端末２２の操作部３２にはプレー予約キー３７が配列されており、このキー３７を操作すると、画面がプレー予約モードに切り替わる。このキー３７が操作されると、管理端末２１の予約受付処理部２８により、予約データベース６から予約状況データが取り出されて表示データ生成部２４を介してデータ表示端末２２の表示器３１に表示される。また、予約のための登録手順が画面上に表示され、それに従って、予約の登録手続きを行うことが可能になる（ステップＳＴ２、７）。
【００４９】
なお、データ表示端末２２の操作部３２に配列されている終了キー３８を操作することにより表示画面は待機画面に戻る（ステップＳＴ８、１）。
【００５０】
また、当日の各ホールでのプレー状況をデータ表示端末２２の表示器３１上に表示するように構成することも可能である。
【００５１】
（ゴルフカートおよび携帯用無線通信端末の動作）
次に、ゴルフプレーヤは各組毎にゴルフカート７が割り当てられると共に、当該ゴルフカート７との間で無線通信可能な携帯用無線通信端末８が各ゴルフプレーヤのそれぞれに貸し出される。
【００５２】
ゴルフカート７に搭載されているデータ表示装置７１は、ゴルフ場管理装置２との間で無線通信を行うことにより、上記のデータ表示端末２２の表示器３１に表示可能なデータを取得して、当該データ表示端末２２と同様に各種のデータをその表示器７２に表示可能である。すなわち、その操作部７３には上記のデータ表示端末２２と同様なキーが配列されており、これらのキーを操作することにより図２に示す場合と同様に各種のデータを表示可能となっている。また、当該データ表示装置７１からプレー予約を行うことが可能となっている。
【００５３】
これに加えて、データ表示装置７１はプレーヤ登録機能および各プレーヤのスコア入力機能が備わっている。このデータ表示装置７１に登録されたプレーヤデータおよび入力された各プレーヤのスコアは、例えば、前半の９ホールのプレーが終了した時点、および最終ホールのプレーが終了した時点で、操作部７３に配列されているキー操作を行うことにより、ゴルフ場管理装置２に送信され、編集・更新部２７によって、会員プレー履歴データベース４に登録される。
【００５４】
次に、各プレーヤが所持している携帯用無線通信端末８は、ゴルフカート７に搭載されているデータ表示装置７１を経由して、ゴルフ場管理装置２の側から受信したゴルフコースデータを表示可能である。すなわち、図２におけるステップＳＴ３と同様に、全コースのレイアウト表示および（ａ）〜（ｆ）の画面を表示可能となっている。
【００５５】
例えば、本例においては、携帯用無線通信端末８の操作部８２のテンキー「０」〜「６」の操作により、上記の全コースのレイアウト表示および（ａ）〜（ｆ）の画面のそれぞれが表示部８１上に表示可能である。また、テンキー「７」の操作により、グリーン上におけるアプローチ情報がゴルフデータ提供装置２の側からゴルフカート７のデータ表示装置７１を経由して送信され、表示部８１の画面上に表示可能となっている。
【００５６】
例えば、ゴルフプレーヤがゴルフコースのアプローチ情報を取得したい場合には、所持している携帯用無線通信端末８によりゴルフカート７のデータ表示装置７１をコールする。データ表示装置７１は基本的にはゴルフ場管理装置２の側と常時接続状態にある。このデータ表示装置７１を経由してデータ要求を行うと、ゴルフ場管理装置２の側においては、その位置検出部２９が通信部２３を介して得られる携帯用無線通信端末８からの受信データとＧＰＳシステム９からの位置情報に基づき、当該携帯用無線通信端末８の位置を検出する。換言すると、プレーヤのプレー位置を確認する。
【００５７】
この後は、表示データ生成部２４はゴルフコースデータベース５の登録内容に基づき、携帯用無線通信端末８が位置しているゴルフコース（ホール）のアプローチ情報をゴルフカート７のデータ表示装置７１を経由して携帯用無線通信端末８に送信する。この端末８の表示部８１は、図３（ａ）に示すような表示画面になる。この表示画面には、上記の（ａ）〜（ｆ）の全てのデータが画像表示される。すなわち、ティーアップ位置５１およびグリーン位置５２を含むホールのコース全体図４１と、バンカー位置４２と、ピン穴位置４３と、池のあるコースの場合にはその池位置４５と、ＯＢがある場合にはそのＯＢライン４４と、風向き４６がそれぞれ画像表示される。これと共に、携帯用無線通信端末８の位置、換言すると当該通信端末８を所持しているプレーヤの位置５３が点滅表示される。
【００５８】
この後に、通信端末８のテンキー「１」〜「６」のいずれかを押すと、操作されたテンキーに対応する画面表示に切り替わる。また、プレーヤがグリーン上にいる場合には、テンキー「７」の操作により、グリーン上におけるアプローチ情報が表示部８１に表示される。例えば、図３（ｂ）に示すような表示画面になる。この表示画面では、通信端末８の位置にゴルフボール６１が表示され、ピン６２およびピン穴６３が表示され、さらに、ゴルフボール６１からピン穴６３までの距離ｘが表示される。これに加えて、ゴルフボール６１からピン穴６３までのアプローチライン（フックライン、スライスライン）を線画６４で表示してもよい。
【００５９】
さらに、同一のテンキー「１」〜「７」のいずれかが繰り返し押されると、本例では、拡大表示モードに切り替わり、各表示画面が拡大表示される。例えば、テンキー「３」を２回連続して押すと、図３（ｃ）に示すような表示画面に切り替わる。この拡大表示画面では、ゴルフボール６１からピン穴６３までの距離ｘと、ゴルフボール６１からピン穴６３までの方向とゴルフボール６１からグリーンに隣接しているバンカー４２までの方向との間のなす角度ｙが表示される。また、風向き表示４６も併せて表示される。
【００６０】
なお、各表示画面の表示形態、および、各表示画面の拡大表示画面としては各種の形態のものが考えられる。また、拡大表示モードへの移行のための操作キーはテンキーを２回連続して操作する代わりに、ファンクションキーを割り当てるようにしてもよい。さらに、拡大表示モードから通常の表示モードへの復帰もテンキーの連続操作あるいはファンクションキーの操作により行うことができる。
【００６１】
携帯用無線通信端末８の操作部８２におけるオフキーＯＦＦが操作されると、ゴルフカート７のデータ表示装置７１との通信が切断される。
【００６２】
ここで、本例の携帯用無線通信端末８は、各プレーヤが各ホールでのスコアを入力することが可能となっている。通信端末８から入力されたスコアデータは、ゴルフカート７のデータ表示装置７１を経由してゴルフ場管理装置２に転送され、会員プレー履歴データベース４に登録される。各ホール毎に入力されるスコアをその都度、ゴルフ場管理装置２に送信する代わりに、ゴルフカート７のデータ表示装置７１のメモリ７５に登録し、９ホール終了毎、あるいは１８ホール終了後にスコアが確定した後にゴルフ場管理装置２の側に当該データ表示装置７１から送信するようにしてもよい。このように、本例の携帯用通信端末装置８は、スコアの記入欄や各コースの案内などが印刷されているスコアカードの代わりに用いることが可能である。
【００６３】
（その他の実施の形態）
なお、上記の実施例のゴルフ場管理システム１では、携帯用無線通信端末８はゴルフカート７のデータ表示装置７１を経由してゴルフ場管理装置２の側と通信を行うようになっているが、携帯用無線通信端末８から直接にゴルフ場管理装置２にアクセスできるようにしてもよい。
【００６４】
また、上記の実施例のゴルフ場管理システム１は、ゴルフ場管理装置２と、データベース３〜６と、ゴルフカート７に搭載されているデータ表示装置７１と、携帯用無線通信端末８を有しているが、携帯用無線通信端末８を省略したシステム構成とすることもできる。
【００６５】
さらに、ゴルフカート７に搭載されているデータ表示装置７１を省略して、ゴルフ場管理装置２と、データベース３〜６と、携帯用無線通信端末８からなるシステム構成とすることもできる。
【００６６】
さらには、ゴルフカート７に搭載されているデータ表示装置７１と携帯用無線通信端末８を省略して、ゴルフ場管理装置２とデータベース３〜６からシステムを構成することも可能である。
【００６７】
一方、上記の例は専用の携帯用無線通信端末を用いているが、一般的な携帯電話やＰＨＳ、モバイルコンピュータを利用することも可能である。
【００６８】
【発明の効果】
以上説明したように、本発明によるゴルフ場管理システムでは、クラブハウスの休憩室などに設置されたデータ表示部（データ表示端末）に、ゴルフコースデータや過去のプレー履歴などの各種のデータを表示できるようにしてある。また、プレーの予約状況の閲覧やプレー予約も行うことができる。従って、本発明によれば、ゴルフ場の各種データを簡単に閲覧でき、また、プレー予約なども簡単に行うことのできるゴルフ場管理システムを実現できる。
【００６９】
また、携帯用無線通信用端末を備えた本発明のゴルフ場管理システムでは、各プレーヤが実際にプレーしている位置を検出し、これに基づきリアルタイムでプレー位置からピンまでのアプローチ情報を提供可能である。
【図面の簡単な説明】
【図１】本発明を適用したゴルフ場管理システムの全体構成を示す概略ブロック図である。
【図２】図１のシステムにおけるデータ表示端末の表示切り替え動作を示す概略フローチャートである。
【図３】図１のシステムにより提供されるゴルフコースデータの表示画面の例を示す説明図である。
【符号の説明】
１　　ゴルフ場管理システム
２　　ゴルフ場管理装置
３、４、５、６　データベース
７　　ゴルフカート
８　　携帯用無線通信端末
９　　ＧＰＳシステム
１０　ＶＩＣＳセンタ
２１　管理端末
２２　データ表示端末
２３　通信部
２４　表示データ生成部
２５　入力部
２６　出力部
２７　編集・更新部
２８　予約受付処理部
２９　位置検出部
３１　表示器
３２　操作部
３３〜３８　キー
７１　ゴルフカートに搭載されているデータ表示装置
７２　表示器
７３　操作部
７４　通信部
７５　メモリ
８１　表示部
８２　操作部
【図１】
2004113535.tif 000003
【図２】
2004113535.tif 000004
【図３】
2004113535.tif 000005
【手続補正書】
【提出日】平成14年10月2日(2002.10.2)
【手続補正１】
【補正対象書類名】明細書
【補正対象項目名】００３６
【補正方法】変更
【補正の内容】
【００３６】
【発明の実施の形態】
以下に、図面を参照して本発明を適用したゴルフ場管理システムの実施例を説明する。